(57)【要約】【課題】低コストに、多くの画像を連続撮影可能で、外部記録媒体へ画像データを記録可能な撮像装置、この撮像装置を使用する画像データ記録システムを提供する。【解決手段】デジタル信号処理ユニット４４は、内蔵メモリ４６から画像データを読み出し、この画像データに所定の処理を行って、第１外部メディア２２Ａ〜第５外部メディア２２Ｅへ出力する。第１外部メディア２２Ａ〜第５外部メディア２２Ｅへのデータの出力は、並列的に行われる。また、デジタル信号処理ユニット４４は、第１外部メディア２２Ａ〜第５外部メディア２２Ｅに記録された画像データを読み出し、分割前の画像データを再構成すると共に、再構成した画像データを、最終画像記録メディア２１へ出力する。【選択図】　図３
2004128656.tif 000002
【特許請求の範囲】
【請求項１】
複数の暫定外部記録媒体、及び、１又は複数の最終外部記録媒体を接続可能な撮像装置であって、
撮像した画像データを、接続された複数の暫定外部記録媒体数に応じて分割する分割手段と、
前記分割手段により分割された画像データの各々を、複数の暫定外部記録媒体へ並行して出力する並行出力手段と、
前記並行出力手段による出力後に前記複数の暫定外部記録媒体に記録された前記各画像データを読み出す読出し手段と、
前記読出し手段により読出された前記各画像データに基づいて、前記分割手段による分割前の画像データを再構成する再構成手段と、
前記再構成手段により再構成された画像データを最終外部記録媒体へ出力する再出力手段と、
を備えた撮像装置。
【請求項２】
請求項１の撮像装置と、
各々が前記撮像装置に接続可能で、かつ、前記撮像装置の再出力手段により出力される画像データを記録可能な複数の暫定外部記録媒体と、
を備えた画像データ記録システム。
【請求項３】
前記複数の暫定外部記録媒体を一体化する一体化部材、をさらに備えた、請求項２に記載の画像データ記録システム。
【発明の詳細な説明】
【０００１】
【発明の属する技術分野】
本発明は撮像装置、及び画像データ記録システムに係り、特に、画像データを外部記録媒体へ記録可能な撮像装置、及びこの撮像装置を用いた画像データ記録システムに関する。
【０００２】
【従来の技術】
従来より、撮像装置で撮影した静止画や動画の画像データを、外部メディアに記録することが行われている。一般的に、外部メディア側の書き込み速度は、撮像装置内での信号処理速度よりも遅いことが多い（例えば特許文献１参照）。外部メディア側の書き込み速度が遅いことによって、１のフレーム撮影から次のフレーム撮影までの時間（以下「撮影間隔」という）が長くなってしまうという問題が生じる。
【０００３】
そこで、撮像装置内部に、比較的書き込み速度の速い内蔵メモリを設け、暫定的にこの内蔵メモリに撮像した画像データを書き込むことにより、処理速度を確保する手法が取られている。この場合、外部メディアへの記録は、この内蔵メモリへの書き込みと並列的に行われている。
【０００４】
しかしながら、内蔵メモリの容量には限界があり、画像データが記録されることにより内蔵メモリの空き容量がなくなると、外部メディアへの画像データ出力により内蔵メモリの空き容量が確保できるまで、撮影が停止されてしまう。そのため、内蔵メモリの容量が小さい場合には、多くの画像を連続撮影することはできず、静止画では、短い撮影間隔で撮影できる画像の枚数が少なくなってしまい、動画では、連続撮影可能な時間が短くなってしまうという問題が生じていた。
【０００５】
一方、上記の問題を解決するために、内蔵メモリの容量を大きくすることが考えられるが、大容量の内蔵メモリは高価であり、コストが高くなってしまう。
【０００６】
【特許文献１】
特開２００１−１２８１０７公報
【０００７】
【発明が解決しようとする課題】
本発明は、上記問題点を解消するために成されたものであり、低コストに、多くの画像を連続撮影可能で、外部記録媒体へ画像データを記録可能な撮像装置、この撮像装置を使用する画像データ記録システムを提供することを目的とする。
【０００８】
【課題を解決するための手段】
上記目的を達成するために、本発明の撮像装置は、複数の暫定外部記録媒体、及び、１又は複数の最終外部記録手段を接続可能な撮像装置であって、撮像した画像データを、接続された複数の暫定外部記録媒体数に応じて分割する分割手段と、前記分割手段により分割された画像データの各々を、複数の暫定外部記録媒体へ並行して出力する並行出力手段と、前記並行出力手段による出力後に前記複数の暫定外部記録媒体に記録された前記各画像データを読み出す読出し手段と、前記読出し手段により読出された前記各画像データに基づいて、前記分割手段による分割前の画像データを再構成する再構成手段と、前記再構成手段により再構成された画像データを最終外部記録媒体へ出力する再出力手段と、を含んで構成されている。
【０００９】
本発明の撮像装置には、デジタルスチルカメラ、デジタルビデオカメラ（デジタルムービー）等、静止画、動画にかかわらず、画像をデジタルデータとして記録する種々の撮像装置が含まれている。
【００１０】
上記構成の撮像装置によれば、分割手段により、撮像された画像データは、接続された複数の暫定外部記録媒体数に応じて分割される。この画像データの分割は、例えば、画像データを構成する単位データの最上位ビットから最下位ビットまでを、接続された複数の暫定外部記録媒体数に応じて分割したり、画像データを構成する単位データを先頭から順に所定数ずつ、接続された暫定外部記録媒体に振り分けたりすることにより、行うことができる。このように、画像データを分割することにより、分割後の各々の画像データ量を、分割前の全体の画像データ量よりも少なくすることができる。
【００１１】
そして、分割された画像データの各々は、並行出力手段によって、複数の暫定外部記録媒体へ並行して出力される。したがって、複数の暫定外部記録媒体へ分割後の各画像データの転送を並行して行うことができ、画像データを分割することなく１つの暫定外部記録媒体へ転送する場合と比較して、短時間で画像データ全体の転送を行うことができる。
【００１２】
また、複数の暫定外部記録媒体を利用することができるので、暫定外部記録媒体単体としては、大容量のものである必要はなく、比較的容量の小さい安価なものを利用することができる。したがって、低コストに大容量の画像データを記録することができる。
【００１３】
複数の暫定外部記録媒体に記録された各画像データは、読出し手段により読み出され、さらに、再構成手段により、分割前の画像データが再構成される。そして、再出力手段により、再構成された画像データが最終外部記録媒体へ出力される。ここでの、読み出し、再構成、及び出力は、撮影と並列に行ってもよいし、撮影完了後にユーザーからの指示により行ってもよく、更には、撮像装置の電源オフ後に行ってもよい。
【００１４】
上記構成によれば、比較的安価な暫定外部記録媒体を使用して、高速に、大容量の画像データを暫定的に記録することができるので、低コストで、多くの画像を連続撮影することができる。そして、上記暫定外部記録媒体とは別の最終外部記録媒体へ、画像データの記録をすることができる。
【００１５】
本発明の画像データ記録システムは、請求項１の撮像装置と、各々が前記撮像装置に接続可能で、かつ、前記撮像装置の再出力手段により出力される画像データを記録可能な複数の暫定外部記録媒体と、を含んで構成されている。
【００１６】
上記構成の画像データ記録システムによれば、上述のように、比較的安価な暫定外部記録媒体を使用して、高速に、大容量の画像データを暫定的に記録することができるので、多くの画像を連続撮影することができる。
【００１７】
また、本発明の画像データ記録システムは、請求項３に記載のように、前記複数の暫定外部記録媒体を一体化する一体化部材、をさらに含んで構成されている。この構成によれば、複数の暫定外部記録媒体が不用意に分離されず、画像データを一体的でき、複数の記録媒体の保管の利便性が向上する。
【００１８】
【発明の実施の形態】
以下、図面を参照して本発明の実施の形態について説明する。
［第１実施形態］
本実施形態の撮像装置としてのカメラ１０は、図１に示すように、カメラ本体１２を備える。カメラ１０は、カメラ本体１２の前面に、撮影レンズ１４、及びファインダ窓１６を備える。撮影レンズ１４は、カメラ本体１２前面の横方向中央部、縦方向やや上部に配置されており、電源オフ状態では、カメラ本体１２前面の内部に沈胴され、電源オン状態では、カメラ本体１２の前方に繰り出されて撮影ポジションに移動される。ファインダ窓１６は、前面からみて、撮影レンズ１４の右上側の後述する被写体確認用のファインダに対応する位置に配置されている。
【００１９】
カメラ１０は、カメラ本体１２の上面にシャッタボタン１８を備える。ユーザーがシャッタボタン１８を押すと、後述するデジタル信号処理ユニット４４へ所定の指示が送られる。
【００２０】
カメラ１０は、カメラ本体１２の１つの側面にメディアユニット接続部２０を備える。メディアユニット接続部２０には、後述するメディアユニット２２を接続可能なジャック２０Ａ〜２０Ｅ、及び、後述する最終画像記録メディア２１を接続可能なジャック２０Ｆが設けられ、さらに、開閉可能なカバー２４が設けられている。
【００２１】
図２に示すように、カメラ１０は、カメラ本体１２の背面に、ファインダ２６、電源ボタン２８、表示ボタン３０、及びディスプレイ３２を備える。ファインダ２６は、背面からみて、カメラ本体１２の背面左上側に配置されており、電源ボタン２８はファインダ２６の下側に、表示ボタン３０は電源ボタン２８の下側に配置されている。ディスプレイ３２は、カメラ本体１２背面の下側に配置されている。
【００２２】
メディアユニット２２は、暫定外部記録媒体としての、第１外部メディア２２Ａ、第２外部メディア２２Ｂ、第３外部メディア２２Ｃ、第４外部メディア２２Ｄ、及び第５外部メディア２２Ｅ、及び、一体化部材２３を備える。第１外部メディア２２Ａ〜第５外部メディア２２Ｅは、各々板状であり、各々の板面が対面するように所定距離離間されて積層され、第１外部メディア２２Ａがジャック２０Ａと、第２外部メディア２２Ｂがジャック２０Ｂと、第３外部メディア２２Ｃがジャック２０Ｃと、第４外部メディア２２Ｄがジャック２０Ｄと、第５外部メディア２２Ｅがジャック２０Ｅと、各々接続可能とされている。
【００２３】
一体化部材２３は、第１外部メディア２２Ａ〜第５外部メディア２２Ｅの、カメラ１０への装着側と逆側に設けられ、第１外部メディア２２Ａ〜第５外部メディア２２Ｅを固定して一体化している。
【００２４】
なお、本実施形態では、外部メディアを５個備えたメディアユニットについて説明するが、外部メディアは５個である必要はなく、２〜４個、６個以上でもよい。カメラ１０では、接続された外部メディア数が、図示しないセンサにより検出される。
【００２５】
また、複数の外部メディアは、必ずしも一体化されている必要はなく、分離されていてもよい。特に、一体化されていることにより、不用意に分離されず、画像データも一体的になるので、複数の外部メディアの保管に便利である。
【００２６】
最終外部記録媒体としての、最終画像記録メディア２１は、ジャック２０Ｆと接続可能とされている。
【００２７】
カメラ本体１２の内部には、図３に示すように、ＣＣＤ４０、Ａ／Ｄコンバータ４２、デジタル信号処理ユニット４４、及び内蔵メモリ４６が含まれている。
【００２８】
ＣＣＤ４０はＡ／Ｄコンバータ４２と接続され、Ａ／Ｄコンバータ４２はデジタル信号処理ユニット４４と接続され、デジタル信号処理ユニット４４は、内蔵メモリ４６、ディスプレイ３２、第１外部メディア２２Ａ〜第５外部メディア２２Ｅ、及び最終画像記録メディア２１と接続されている。
【００２９】
ＣＣＤ４０はレンズ１４からの光を光電変換してＡ／Ｄコンバータ４２へ出力し、Ａ／Ｄコンバータ４２は、ＣＣＤ４０からのアナログ信号をデジタル信号に変換可能とされている。デジタル信号処理ユニット４４は、Ａ／Ｄコンバータ４２からのデジタル信号に対して所定の処理を行って各種画像データを形成し、ディスプレイ３２、内蔵メモリ４６へ出力することができる。また、デジタル信号処理ユニット４４は、シャッタボタン１８からの指示により、内蔵メモリ４６から画像データを読み出し、この画像データに所定の処理を行って、第１外部メディア２２Ａ〜第５外部メディア２２Ｅへ出力することができる。第１外部メディア２２Ａ〜第５外部メディア２２Ｅへのデータの出力は、並列的に行うことができる。さらに、デジタル信号処理ユニット４４は、第１外部メディア２２Ａ〜第５外部メディア２２Ｅに記録された画像データを読み出し、分割前の画像データを再構成すると共に、再構成した画像データを、最終画像記録メディア２１へ出力することができる。
【００３０】
内蔵メモリ４６は、デジタル信号処理ユニット４４で形成された画像データを一時記録可能とされている。ディスプレイ３２は、デジタル信号処理ユニット４４からの画像データを表示可能とされている。
【００３１】
次に、本実施形態の作用について説明する。
【００３２】
ユーザーは、メディアユニット２２をメディアユニット接続部２０に装着する。このとき、第１外部メディア２２Ａがジャック２０Ａに、第２外部メディア２２Ｂがジャック２０Ｂに、第３外部メディア２２Ｃがジャック２０Ｃに、第４外部メディア２２Ｄがジャック２０Ｄに、第５外部メディア２２Ｅがジャック２０Ｅに、各々差し込まれて接続されるようにする。また、ユーザーは、最終画像記録メディア２１をジャック２０Ｆに差し込んで、最終画像記録メディア２１をメディアユニット接続部２０に装着する。
【００３３】
ユーザーが、電源ボタン２８をオンにしてカメラ１０を撮影可能状態とすると、ＣＣＤ４０は、所定の時間毎にレンズ１４からの光を受光し、光電変換を行う。光電変換後のアナログデータは、ＣＣＤ４０からＡ／Ｄコンバータ４２へ出力され、Ａ／Ｄコンバータ４２は、このアナログデータをデジタルデータに変換して、デジタル信号処理ユニット４４へ出力する。デジタル信号処理ユニット４４は、Ａ／Ｄコンバータ４２からのデジタル信号に対して、所定の処理を行って１フレームずつ順次画像データを形成し、ディスプレイ３２及び内蔵メモリ４６へ出力する。ディスプレイ３２は、デジタル信号処理ユニット４４からの画像データに基づいて、所定のフレームレートで画像を表示する。内蔵メモリ４６は、デジタル信号処理ユニット４４からの画像データを一時記録する。
【００３４】
撮影された画像データをメディアユニット２２に記録する際には、デジタル信号処理ユニット４４で、図４に示す画像データ暫定記録処理が行われる。
【００３５】
ユーザーによりシャッタボタン１８が押されると、デジタル信号処理ユニット４４へ記録指示信号が入力される。ステップＳ１０では、この記録指示信号が入力されるまで待機する。記録指示信号が入力されると、ステップＳ１２で、図示しないセンサにより外部メディア数を検出する。本実施形態では、外部メディア数は５個である。ステップＳ１４で、外部メディア数に基づいて、画像データを構成する単位データの最上位ビットから最下位ビットの分割ビット数を算出する。
【００３６】
例えば、画像データを構成する単位データを１６ビットとし、５個の外部メディアのうちの１つに後述する分割関連情報のみを記録し、残りの４個の外部メディアに画像データを記録するとすれば、図５（Ａ）に示すように、最上位ビットから４ビットずつ、４つのビット群、Ｊ２〜Ｊ５に分割することができる。
【００３７】
ステップＳ１６で、前ステップで算出した分割ビット数に基づいて、分割関連情報を作成する。分割関連情報とは、画像データをどのように分割するのかを示す情報である。例えば、前記の例では、最上位ビットから４ビットずつに分割するという情報、及び、分割後の１の画像データが分割前の画像データのどの部分を構成するのかの情報を含むものである。
【００３８】
ステップＳ１８で、分割関連情報に基づいて、内蔵メモリ４６から、最新に記録された１フレームの画像データをデータ順に読み出しながら所定のビット数ずつに分割する。ステップＳ２０で、分割後の各々の画像データの先頭に、これらが分割前の画像データのどの部分を構成するのかを識別する識別情報を付与する。例えば、図５（Ａ）に示すように、最上位ビットから最下位ビットまでの各ビットを、順に第１〜第１６ビットとすると、第１〜第４ビットに識別情報Ｊ２、第５〜第８ビットに識別情報Ｊ３、第９〜第１２ビットに識別情報Ｊ４、第１３〜第１６ビットに識別情報Ｊ４、の識別情報を付与する。
【００３９】
そして、ステップＳ２２で、第１外部メディア２２Ａへ分割関連情報、分割関連情報であることの識別情報Ｊ１、及び、ヘッダー情報を出力し、ステップＳ２４で、第２外部メディア２２Ｂ〜第５外部メディア２２Ｅの各々へ、Ｊ２〜Ｊ５の識別情報の付与された画像データを各々出力して、本処理を終了する。出力された各データは、第１外部メディア２２Ａ〜第５外部メディア２２Ｅに、図５（Ｂ）に示すように記録される。
【００４０】
ここで、第１外部メディア２２Ａ〜第５外部メディア２２Ｅへの記録は、各々並行して行われる。１つの外部メディアに記録される画像データの量は、分割前の１フレーム全体の画像データと比較して少なくなっている。したがって、本実施形態によれば、分割前の画像データを１つの外部メディアへ転送する場合と比較して、短時間で画像データ全体の転送を行うことができる。また、メディアユニット２２全体の記録容量は、外部メディア単体の記録容量と比較して大きく、多くの画像データを記録することができる。
【００４１】
メディアユニット２２に記録された画像データは、デジタル信号処理ユニット４４で、図６に示す画像データ再出力処理により、最終画像記録メディア２１に記録される。デジタル信号処理ユニット４４による、この画像データ再出力処理は、読取り手段、再構成手段、及び再出力手段を兼ねる。
【００４２】
ステップＳ３０で、第１外部メディア２２Ａから分割関連情報、及びヘッダ情報を読み取り、ステップＳ３２で、第２外部メディア２２Ｂ〜第５外部メディア２２Ｅから画像データを読み取る。そして、再構成手段としてのステップＳ３４で、分割関連情報に基づいて、画像データの再構成を行う。前述の例で説明すると、第２外部メディア２２Ｂに記録された４ビット、第３外部メディア２２Ｃに記録された４ビット、第４外部メディア２２Ｄに記録された４ビット、第５外部メディア２２Ｅに記録された４ビット、の順にデータを並べて画像データの単位データを構成することにより、画像データの再構成を行うことができる。
【００４３】
そして、ステップＳ３６で、再構成された画像データを最終画像記録メディア２１へ出力して本処理を終了する。
【００４４】
上記画像データ再出力処理は、撮影と並列に行ってもよいし、撮影完了後にユーザーからの指示により行ってもよく、更には、撮像装置の電源オフ後に行ってもよい。
【００４５】
本実施形態によれば、上述のように、画像データ暫定記録処理により、低コストで、高速に、大容量の画像データを暫定的に記録することができるので、撮影停止状態となる事態を起こり難くすることができる。その結果、連続撮影可能な枚数を増加させることができる。そして、画像データ再出力処理により、最終画像記録メディア２１に、最終的に分割前の画像データが記録されて、画像データの外部メディアへの記録を完了することができる。
【００４６】
なお、本実施形態では、画像データの分割を、画像データを構成する単位データ毎におこなったが、画像データの分割はこの方法に限定されるものではない。その他にも、例えば、画像データを構成する単位データを先頭から順に所定数ずつ、接続された外部メディアに振り分けることにより分割することもできる。例えば、図７（Ａ）に示すように、６４０×３２０画素で１フレームを構成する画像データの場合に、先頭から１ライン＝６４０画素分の画像データずつ、接続された外部メディアに振り分けることにより、画像データを分割することもできる。具体的には、第２外部メディア２２Ｂに１〜６４０、２５６１〜３２００…番目の画素についての画像データを振り分け、第３外部メディア２２Ｃに６４１〜１２８０、３２０１〜３８４０…番目の画素についての画像データを振り分け、第４外部メディア２２Ｄに１２８１〜１９２０、３８４１〜４４８０…番目の画素についての画像データを振り分け、第５外部メディア２２Ｅに１９２１〜２５６０、４４８１〜５１２０…番目の画素についての画像データを振り分ける（図７（Ｂ）参照）。
［第２実施形態］
次に第２実施形態について説明する。本実施形態では、第１実施形態と同様の部分については同一の符号を付して、詳細な説明は省略する。
【００４７】
本実施形態の撮像装置としてのビデオカメラ５０は、図８に示すように、ビデオカメラ本体５２を備える。ビデオカメラ５０は、ビデオカメラ本体５２の前面に、撮影レンズ５４、及びメディアユニット接続部２０を備える。メディアユニット接続部２０に設けられたジャック２０Ａ〜２０Ｆ、及びカバー２４については、第１実施形態と同様である。
【００４８】
ビデオカメラ５０は、ビデオカメラ本体５２の側面に、可動式ディスプレイ５６を備える。可動式ディスプレイ５６は、ビデオカメラ本体５２との接続部５６Ａを支点にして、回転可能とされている。
【００４９】
図９に示すように、メディアユニット２２、最終画像記録メディア２１、及びビデオカメラ本体５２の内部のＣＣＤ４０、Ａ／Ｄコンバータ４２、デジタル信号処理ユニット４４、内蔵メモリ４６については、第１実施形態と同様である。
【００５０】
録画ボタン５８は、デジタル信号処理ユニット４４と接続されている。録画ボタン５８を一度押下することにより、録画指示信号がデジタル信号処理ユニット４４へ入力され、２度目の押下により、録画終了信号がデジタル信号処理ユニット４４へ入力される。
【００５１】
次に、本実施形態の作用について説明する。
【００５２】
メディアユニット２２及び最終画像記録メディア２１のメディアユニット接続部２０への装着、及び、図示しない電源ボタンをオンにした後の画像の取り込みについては、第１実施形態と同様である。
【００５３】
撮影された画像データをメディアユニット２２に記録する際には、デジタル信号処理ユニット４４で、図１０に示す暫定録画処理が行われる。
【００５４】
ユーザーにより録画ボタン５８が押されると、デジタル信号処理ユニット４４へ録画指示信号が入力される。ステップＳ４０では、この録画指示信号が入力されるまで待機する。録画指示信号が入力されると、ステップＳ４２で、図示しないセンサにより外部メディア数を検出し、ステップＳ４４で、外部メディア数に基づいて、画像データを構成する単位データの最上位ビットから最下位ビットの分割ビット数を算出する。この分割ビット数の算出についても、第１実施形態と同様にして行う。
【００５５】
ステップＳ４６で、前ステップで算出した分割ビット数に基づいて、分割関連情報を作成し、ステップＳ４８で、第１外部メディア２２Ａへ分割関連情報、分割関連情報であることの識別情報Ｊ１、及び、ヘッダー情報を出力する。
【００５６】
ステップＳ５０で、Ａ／Ｄコンバータ４２からの画像データを取り込み、ステップＳ５２で、一旦、内蔵メモリ４６にこの画像データを書き込む。そして、ステップＳ５４で、分割関連情報に基づいて、内蔵メモリ４６から１フレームの画像データをデータ順に読み出し、所定のビット数ずつに分割する。分割の方法については第１実施形態と同様である（図５、図７参照）。
【００５７】
ステップＳ５６で、識別情報付与の処理が未だ行われていないかどうかを判断し、行われていない場合には、ステップＳ５８で、分割後の各々の画像データの先頭に、これらが分割前の画像データのどの部分を構成するのかを識別する識別情報を付与する。識別情報付与の処理が、既に行われている場合には、ステップＳ６０へ進む。ステップＳ６０で、第２外部メディア２２Ｂ〜第５外部メディア２２Ｅの各々へ、分割後の画像データを各々出力し、ステップＳ６２で、録画終了信号が入力されたかどうかを判断する。判断が肯定された場合には、本処理を終了し、判断が否定された場合には、ステップＳ５０へ戻り、上記処理を繰り返す。
【００５８】
本実施形態によれば、第１外部メディア２２Ａ〜第５外部メディア２２Ｅへの記録は各々並行して行われる。第１外部メディア２２Ａ〜第５外部メディア２２Ｅの各々へ、一定時間に転送可能なデータ量の合計は、１つの外部メディアへ転送可能なデータ量よりも多い。したがって、画像データを転送するためのデータ転送速度を上げることができる。また、メディアユニット２２全体の記録容量は、外部メディア単体の記録容量と比較して大きいので、多くの画像データを記録することができる。
【００５９】
その結果、フレームレートがデータの転送速度を上回っても、メディアユニット２２に暫定的に画像データを記録することにより、連続撮影ができなくなるという事態を減少させることができる。
【００６０】
メディアユニット２２に記録された画像データは、デジタル信号処理ユニット４４で、図１１に示す画像データ再出力処理により、最終画像記録メディア２１に記録される。デジタル信号処理ユニット４４による、この画像データ再出力処理は、読取り手段、再構成手段、及び再出力手段を兼ねる。
【００６１】
ステップＳ７０で、第１外部メディア２２Ａから分割関連情報、及びヘッダ情報を読み取り、ステップＳ７２で、第２外部メディア２２Ｂ〜第５外部メディア２２Ｅから画像データを読み取る。そして、ステップＳ７４で、分割関連情報に基づいて、画像データの再構成を行う。前述の例で説明すると、第２外部メディア２２Ｂに記録された４ビット、第３外部メディア２２Ｃに記録された４ビット、第４外部メディア２２Ｄに記録された４ビット、第５外部メディア２２Ｅに記録された４ビット、の順にデータを並べて画像データの単位データを構成することにより、画像データの再構成を行うことができる。
【００６２】
そして、ステップＳ７６で、再構成された画像データを最終画像記録メディア２１へ出力し、ステップＳ７８で、第２外部メディア２２Ｂ〜第５外部メディア２２Ｅに記録されている画像データをすべて読み取ったかどうかを判断する。判断が肯定された場合には本処理を終了し、判断が否定された場合には、ステップＳ７２へ戻り、上記の処理を繰り返す。
【００６３】
上記画像データ再出力処理は、撮影と並列に行ってもよいし、撮影完了後にユーザーからの指示により行ってもよく、更には、撮像装置の電源オフ後に行ってもよい。
【００６４】
本実施形態によれば、上述のように、画像データ暫定記録処理により、低コストで、高速に、大容量の画像データを暫定的に記録することができるので、多くのフレームを連続して記録することができる。その結果、連続撮影可能な枚数を増加させることができる。そして、画像データ再出力処理により、最終画像記録メディア２１に、最終的に分割前の画像データが記録されて、画像データの外部メディアへの記録を完了することができる。
【００６５】
【発明の効果】
以上説明したように、本発明の撮像装置、及び画像データ記録システムによれば、比較的安価な外部記録媒体を使用して、高速に、大容量の画像データを暫定的に記録することができるので、低コストで、多くの画像を連続撮影可能とすることができる。そして、暫定外部記録媒体とは別の最終外部記録媒体へ、画像データの記録をすることができる。
【図面の簡単な説明】
【図１】第１実施形態のカメラの前面側の概略斜視図である。
【図２】第１実施形態のカメラの背面側の概略斜視図である。
【図３】第１実施形態のカメラ内部の概略ブロック図である。
【図４】画像データ暫定記録処理のフローチャートである。
【図５】画像データの分割の一例を説明する図である。
【図６】第１実施形態の画像データ再出力処理のフローチャートである。
【図７】画像データの分割の他の例を説明する図である。
【図８】第２実施形態のビデオカメラの概略斜視図である。
【図９】第２実施形態のビデオカメラ内部の概略ブロック図である。
【図１０】暫定録画処理のフローチャートである。
【図１１】第２実施形態の画像データ再出力処理のフローチャートである。
【符号の説明】
１０　　カメラ（撮像装置）
２１　　最終画像記録メディア（最終外部記録媒体）
２２Ａ　第１外部メディア（暫定外部記録媒体）
２２Ｂ　第２外部メディア（暫定外部記録媒体）
２２Ｃ　第３外部メディア（暫定外部記録媒体）
２２Ｄ　第４外部メディア（暫定外部記録媒体）
２２Ｅ　第５外部メディア（暫定外部記録媒体）
２３　　一体化部材
４４　　デジタル信号処理ユニット（分割手段、出力手段、読出し手段、再構成手段、再出力手段）
５０　　ビデオカメラ（撮像装置）
【図１】
2004128656.tif 000003
【図２】
2004128656.tif 000004
【図３】
2004128656.tif 000005
【図４】
2004128656.tif 000006
【図５】
2004128656.tif 000007
【図６】
2004128656.tif 000008
【図７】
2004128656.tif 000009
【図８】
2004128656.tif 000010
【図９】
2004128656.tif 000011
【図１０】
2004128656.tif 000012
【図１１】
2004128656.tif 000013